(57)【要約】  【課題】  機器の外観・意匠性を損なうことなく機器への電池の取付けを行うとともに、電池交換時の電池ホルダーの機器からの取外し作業を簡単・確実に行うことができる電気機器を提供することを目的とする。  【解決手段】  機器１外面に設けた開口部３から挿入して機器内部の収納部４に着脱自在に収納される電池ホルダー２を備え、この電池ホルダー２には、電池ホルダー２の機器１への収納時に機器外面と略同一面となり一端部の押圧による回転により他端が機器外面より突出して電池ホルダー２の取り出し操作部となる回転つまみ５を設けた。これにより、機器１への電池の取付けは電池ホルダー２が機器外面と略同一面であって、外観・意匠性を損なうことがないとともに、電池交換時は回転つまみ２の取り出し操作部をつまんで電池ホルダー２を機器から簡単・確実に取外すことができるものである。【選択図】  図１
2005050634.tif 000002
【特許請求の範囲】
【請求項１】
機器外面に設けた開口部から挿入して機器内部の収納部に着脱自在に収納される電池ホルダーを備え、この電池ホルダーには、電池ホルダーの機器への収納時に機器外面と略同一面となり一端部の押圧による回転により他端が機器外面より突出して電池ホルダーの取り出し操作部となる回転つまみを設けた電気機器。
【請求項２】
回転つまみと電池ホルダーとを係合手段により係合させ、回転つまみを機器外面と略同一面の状態に保持した請求項１に記載の電気機器。
【請求項３】
回転つまみには回転方向に傾斜部を設け、電池ホルダーには前記傾斜部を押し回転つまみが機器外面と略同一面の状態になる方向に回転力を与えるばね部材を設けた請求項１または２に記載の電気機器。
【請求項４】
電池ホルダーを機器内部の収納部に係合させる係合手段を設け、この係合手段の係合は回転つまみの押圧による回転により解除するようにした請求項１〜３のいずれか１項に記載の電気機器。
【請求項５】
係合手段は、係止部とこれに弾性的に係合するツメ部とを有する請求項４に記載の電気機器。
【請求項６】
回転つまみの回転軸位置を中心より押圧側に寄せた請求項１〜５のいずれか１項に記載の電気機器。
【請求項７】
回転つまみの押圧側の端部に突起を設けた請求項１〜６のいずれか１項に記載の電気機器。
【発明の詳細な説明】
【技術分野】
【０００１】
本発明は、停電時におけるマイコンバックアップ用や時計機能維持などのために電池を使用した電気機器に関するものである。
【背景技術】
【０００２】
従来、この種の電気機器としては、コイン形リチウム電池を使用した自動製パン機が知られている（例えば、特許文献１参照）。
【０００３】
これは、図６に示すように、機器への電力供給のためのコイン形の電池２０は電池ホルダー２１を介して機器の開口部２２に挿入セットされていた。電池ホルダー２１は機器へのセット時に、ツメ部２３により機器の開口部２２内へ係止している。そして、電池２０の交換の際は、つまみ２４を指でつまんで押し下げることによりツメ部２３の係止を解除し、電池ホルダー２１を引き抜くことにより機器から取り出していた。
【特許文献１】特開平８−１８７１８０号公報
【発明の開示】
【発明が解決しようとする課題】
【０００４】
しかしながら、上記従来の構成では、電池ホルダー２１の機器へのセット時には、機器外面に電池ホルダー２１のつまみ２４部が突出していて機器の外観、意匠性を著しく損なうという課題があった。また、外観を損なうことを抑えるために、つまみ２４を小さくすると電池ホルダー２１の取外し作業が非常にやりづらくなってしまうという課題があった。
【０００５】
本発明は、上記従来の課題を解決するもので、機器の外観・意匠性を損なうことなく機器への電池の取付けを行うとともに、電池交換時の電池ホルダーの機器からの取外し作業を簡単・確実に行うことができる電気機器を提供することを目的とするものである。
【課題を解決するための手段】
【０００６】
上記目的を達成するために、本発明の電気機器は、電池ホルダーに、電池ホルダーの機器への収納時に機器外面と略同一面となり一端部の押圧による回転により他端が機器外面より突出して電池ホルダーの取り出し操作部となる回転つまみを設けたものである。
【０００７】
これにより、機器への電池の取付けは電池ホルダーが機器外面と略同一面であって、外観・意匠性を損なうことがないとともに、電池交換時は回転つまみの取り出し操作部をつまんで電池ホルダーを機器から簡単・確実に取外すことができるものである。
【発明の効果】
【０００８】
上記したように、本発明の電気機器によれば、機器への電池の取付けは電池ホルダーが機器外面と略同一面であって、外観・意匠性を損なうことがないとともに、電池交換時は回転つまみの取り出し操作部をつまんで電池ホルダーを機器から簡単・確実に取外すことができるものである。
【発明を実施するための最良の形態】
【０００９】
請求項１に記載の発明は、機器外面に設けた開口部から挿入して機器内部の収納部に着脱自在に収納される電池ホルダーを備え、この電池ホルダーには、電池ホルダーの機器への収納時に機器外面と略同一面となり一端部の押圧による回転により他端が機器外面より突出して電池ホルダーの取り出し操作部となる回転つまみを設けた電気機器とすることにより、機器への電池の取付けは電池ホルダーが機器外面と略同一面であって、外観・意匠性を損なうことがないとともに、電池交換時は回転つまみの取り出し操作部をつまんで電池ホルダーを機器から簡単・確実に取外すことができるものである。
【００１０】
請求項２に記載の発明は、回転つまみと電池ホルダーとを係合手段により係合させ、回転つまみを機器外面と略同一面の状態に保持した請求項１に記載の電気機器とすることにより、電池交換時以外に回転つまみが勝手に回ることを防ぐことができるものである。
【００１１】
請求項３に記載の発明は、回転つまみには回転方向に傾斜部を設け、電池ホルダーには前記傾斜部を押し回転つまみが機器外面と略同一面の状態になる方向に回転力を与えるばね部材を設けた請求項１または２に記載の電気機器とすることにより、電池交換時以外に回転つまみが勝手に回ることを防ぐことができるとともに、回転つまみを機器外面と略同一面の状態方向に回す力を減ずることができるものである。
【００１２】
請求項４に記載の発明は、電池ホルダーを機器内部の収納部に係合させる係合手段を設け、この係合手段の係合は回転つまみの押圧による回転により解除するようにした請求項１〜３のいずれか１項に記載の電気機器とすることにより、電池ホルダーを機器内部に係合することができるとともに、電池交換のために電池ホルダーを取り出す際は回転つまみの押圧により係合を容易に解除することができる。
【００１３】
請求項５に記載の発明は、係合手段は、係止部とこれに弾性的に係合するツメ部とを有する請求項４に記載の電気機器とすることにより、電池ホルダーの係合と解除が簡単な構成で容易に行えるものである。
【００１４】
請求項６に記載の発明は、回転つまみの回転軸位置を中心より押圧側に寄せた請求項１〜５のいずれか１項に記載の電気機器とすることにより、電池交換のために電池ホルダーを取り出す際、回転つまみの一端部を少し押圧するだけで他端を大きく機器外面より突出させ、電池ホルダーの取り出し操作部とすることができる。
【００１５】
請求項７に記載の発明は、回転つまみの押圧側の端部に突起を設けた請求項１〜６のいずれか１項に記載の電気機器とすることにより、電池交換のために電池ホルダーを取り出す際、突起を押圧することで、回転つまみの押圧量を大きくすることができ、他端の電池ホルダーの取り出し操作部を大きく機器外部に突出させることができる。
【実施例１】
【００１６】
以下、本発明の実施例について、図面を参照して説明する。
【００１７】
図１に示すように、機器１は停電時におけるマイコンバックアップ用や時計機能維持などのために電池を使用しているものであり、着脱自在に電池ホルダー２を取り付けている。本実施例においては家庭用の自動製パン機を一例として示している。機器１外面には電池ホルダー２を挿入する開口部３があり、その内部には電池ホルダー２を着脱自在に収納する収納部４が形成されている。電池ホルダー２には、電池ホルダー２の機器１への収納時に機器外面と略同一面となるレバー式の回転つまみ５が設けられている。
【００１８】
電池ホルダー２と回転つまみ５の関連構成については、図２、図３に詳細を示しているとおりである。すなわち、回転つまみ５は、電池ホルダー２の平面部Ａ６と平面部Ｂ７により挟まれ、電池ホルダー２の軸８に回転つまみ５の孔９を嵌め合わせ、これにより軸８を中心に回転自在に軸支された形となっている。そして、電池ホルダー２が機器１内に収納され回転つまみ５が閉じている状態では、回転つまみ５は機器外面と略同一面となり、一端部の押圧による回転により他端が機器外面より突出して電池ホルダーの取り出し操作部５ａとなるものである。なお、電池ホルダー２には、コイン形リチウム電池などの電池１０がセットされ機器１に電力を供給するようになっている。
【００１９】
また、回転つまみ５の押圧側の一端部には、押圧用の突起１１を設けており、突起１１を押圧することにより電池ホルダーの取り出し操作部５ａを機器外面より大きく突出させるようにしている。
【００２０】
また、回転つまみ５には回転方向に傾斜する傾斜部１２を設けており、回転つまみ５を回転させると電池ホルダー２のばね部材、すなわち平面部Ｂ７のたわみばね性により回転つまみ５を閉じようとする力が働くようになっている。この力により電池交換時以外に回転つまみ５が勝手に回ることを防ぐことができ、とび出した回転つまみ５を引掛けて機器１を転倒させることや、回転つまみ５を折損させることを防いでいる。また、回転つまみ５を機器１外面と略同一面の状態の方向に回す力を減ずることができ、回転つまみ５の操作感を良好にしている。
【００２１】
そして、傾斜部１２の終端部１３は電池ホルダー２の平面部Ｂ７の端面部１４と係合するようになっている。すなわち、回転つまみ５が閉じた状態（機器外面と略同一面の状態）を保持する係合手段を構成しており、電池交換時以外に回転つまみ５が勝手に回ることを確実に防ぎ、とび出した回転つまみ５を引掛けて機器１を転倒させることや、回転つまみ５を折損させることをより確実に防いでいる。また、回転つまみ５を閉じる際に係合によりパッチリ閉まる感触が発生するため操作感が向上する。
【００２２】
また、電池ホルダー２と機器１内部である収納部４とは、係合手段により係合されている。すなわち、装着状態において電池ホルダー２の平面部Ｃ１５に形成されたツメ部１６と、収納部４に形成された孔または溝などの係止部１７が弾性的に係合する構成としている。この係合は、回転つまみ５を回転させることにより傾斜部１２が平面部Ｂ７を押し下げ、それにつづく平面部Ｃ１５が下がることにより、平面部Ｃ１５に形成されたツメ部１６が下がり解除することができる。したがって、簡単な構成により電池ホルダー２を機器１内の装着部に確実に装着・固定できるとともに、電池交換のために電池ホルダー２を取り出す際は係合を解除することができ、手軽に電池交換の操作を行うことができる。
【００２３】
また、回転つまみ５の回転軸位置（軸８）を中心より押圧側に寄せた構成としている。したがって、電池交換のために電池ホルダー２を取り出す際、回転つまみ５を少し機器内部側に押すだけで、回転中心軸の反対側を大きく機器１外部にとび出させることができる。よって、回転つまみ５の取り出し操作部５ａはつかみやすく、確実かつ簡単に電池ホルダー２を引き抜くことができる。また、回転つまみ５には突起１１を設けているため、回転つまみ５の押圧量をより大きくすることができ、より確実かつ簡単に電池ホルダー２の取り出し操作を行うことができる。
【００２４】
上記した機器１から電池ホルダー２を取り出す動作については、図４に詳細を示している。電池交換のためには、（Ａ）に示すように、使用者が回転つまみ５の突起１１を押す。突起１１を機器の内部側に押すと、（Ｂ）のように回転つまみ５の突起１１と軸８に対し反対側の部分、すなわち取り出し操作部５ａが機器１の外側にとび出し、最終的に（Ｃ）のようになる。このとび出した取り出し操作部５ａをつまんで収納部４から電池ホルダー２を引き抜く。したがって、電池ホルダー２をつまみやすく、確実に取り出すことができる。また、レバー式であるため、回転つまみ５は閉じた状態では機器１の外表面と同一面にすることができる。よって機器の外観・意匠性を損なうことがない機器への電池の取付け構成をとることができる。
【００２５】
図５は、図４における回転つまみ５の動作状態と対応するツメ部１６の動作を中心に示しており、図５の（Ａ）〜（Ｃ）は、図４の（Ａ）〜（Ｃ）にそれぞれ対応している。また、図５の（Ｄ）〜（Ｆ）は図５の（Ａ）〜（Ｃ）に対応しているものであり、回転つまみ５の操作により、機器１から電池ホルダー２を取り出すことができる動作状態をそれぞれ示している。
【図面の簡単な説明】
【００２６】
【図１】本発明の実施例における電気機器への電池ホルダーの取付けを示す斜視図
【図２】同電気機器における電池ホルダーの斜視図
【図３】（Ａ）同電気機器における電池ホルダーの正面図  （Ｂ）（Ａ）におけるＡ−Ａ断面図  （Ｃ）同電気機器における電池ホルダーの背面図
【図４】同電気機器における電池ホルダーの回転つまみの動作状態を示した図
【図５】図４における回転つまみの動作状態と対応するツメ部の動作を示した断面図
【図６】従来の電気機器における電池ホルダー部分の着脱を示す斜視図
【符号の説明】
【００２７】
１  機器
２  電池ホルダー
３  開口部
４  収納部
５  回転つまみ
８  軸
１０  電池
１１  突起
１２  傾斜部
１３  終端部
１４  端面部
１６  ツメ部
１７  係止部
【図１】
2005050634.tif 000003
【図２】
2005050634.tif 000004
【図３】
2005050634.tif 000005
【図４】
2005050634.tif 000006
【図５】
2005050634.tif 000007
【図６】
2005050634.tif 000008